(57)【要約】【課題】燃焼装置が備える既存の電気回路を利用して電磁ポンプ駆動リレーの動作遅れ時間を測定し、駆動リレーに対する制御信号の出力タイミングを調整する。【解決手段】交流電源の波形に応じたパルス波を出力する入力電圧監視回路と、リレー接点が開放状態のときは一定電圧を出力し、閉成状態のときは負荷に印加される脈流パルスに応じたパルス波を生成する負荷電圧監視回路とを用い、交流電圧が正から負に変わるタイミングＴ１でリレー接点の閉成を指示する制御信号を出力し、負荷電圧監視回路からの入力電圧が立ち下がるまでの時間ｔ３を測定し、この時間ｔ３が負荷への電圧非印加時間ｔ２よりも短ければ、この時間ｔ３をリレー接点閉成時の動作遅れ時間ｔｃｄとして、リレー制御を実行する。【選択図】  図２
2008008578.tif 000002
【特許請求の範囲】
【請求項１】
交流電源と、半波整流用の整流素子と、前記整流素子を介して前記交流電源に接続された誘導性負荷と、前記誘導性負荷に流れる電流の経路を開閉するリレー接点を備えた駆動リレーと、この駆動リレーに対して接点の閉成／開放を指令する制御部とを有する誘導性負荷の駆動回路であって、
前記交流電源の電圧の正負に応じたパルス波を生成する入力電圧監視回路と、前記リレー接点が開放状態にあるときは一定電圧を出力し、閉成状態にあるときには前記誘導性負荷に印加される電圧パルスに応じたパルス波を生成する負荷電圧監視回路とを備え、これら各監視回路の出力パルスが前記制御部に入力されるように構成された誘導性負荷の駆動制御装置において、
前記制御部は、
前記負荷電圧監視回路からの入力波形に基づいて、少なくとも交流電源１周期あたりにおける前記誘導性負荷に正電圧が印加されていない時間（ｔ２）を測定し、記憶手段に記憶させる電圧非印加時間測定ステップと、
前記入力電圧監視回路からの入力波形に基づいて、前記交流電圧が正から負に変わるタイミング（Ｔ１）に同期して前記リレー接点を開放から閉成させる旨の制御信号を出力し、この制御信号の出力時（Ｔ１）から前記負荷電圧監視回路からの入力電圧が立ち下がるまでの時間（ｔ３）を測定する第１のリレー遅れ時間測定ステップと、
この第１のリレー遅れ時間測定ステップで測定した時間（ｔ３）と前記誘導性負荷への電圧非印加時間（ｔ２）とを比較して、前者（ｔ３）が後者（ｔ２）よりも短ければ、この測定した時間（ｔ３）をリレー接点閉成時の動作遅れ時間（ｔｃｄ）として記憶手段に記憶させる第１のデータ確定ステップとを有し、
この後にリレー接点を開放から閉成させる旨の制御信号を出力する際には、このリレーの動作遅れ時間（ｔｃｄ）分だけ制御信号の出力タイミングを早めて制御信号を出力する制御構成を有する
ことを特徴とする誘導性負荷の駆動制御装置。
【請求項２】
前記制御部は、前記第１のデータ確定ステップにおいて、前記第１のリレー遅れ時間測定ステップで測定した時間（ｔ３）が前記誘導性負荷への電圧非印加時間（ｔ２）よりも長い場合には、この測定した時間（ｔ３）を記憶手段には記憶させずにおき、
次にリレー接点を開放から閉成させる際に、前記入力電圧監視回路からの入力波形に基づいて、前記交流電圧が負から正に変わるタイミング（Ｔ２）に同期して前記リレー接点を開放から閉成させる旨の制御信号を出力し、この制御信号の出力時（Ｔ２）から前記負荷電圧監視回路からの入力電圧が立ち下がるまでの時間（ｔ４）を測定し、この測定した時間（ｔ４）をリレー接点閉成時の動作遅れ時間（Ｔｃｄ）として記憶手段に記憶させる第２のデータ確定ステップを有し、
この後にリレー接点を開放から閉成させる旨の制御信号を出力する際には、このリレーの動作遅れ時間（ｔｃｄ）分だけ制御信号の出力タイミングを早めて制御信号を出力する制御構成を有する
ことを特徴とする請求項１に記載の誘導性負荷の駆動制御装置。
【請求項３】
交流電源と、半波整流用の整流素子と、前記整流素子を介して前記交流電源に接続された誘導性負荷と、前記誘導性負荷に流れる電流の経路を開閉するリレー接点を備えた駆動リレーと、この駆動リレーに対して接点の閉成／開放を指令する制御部とを有する誘導性負荷の駆動回路であって、
前記交流電源の電圧の正負に応じたパルス波を生成する入力電圧監視回路と、前記リレー接点が開放状態にあるときは一定電圧を出力し、閉成状態にあるときには前記誘導性負荷に印加される電圧パルスに応じたパルス波を生成する負荷電圧監視回路とを備え、これら各監視回路の出力パルスが前記制御部に入力されるように構成された誘導性負荷の駆動制御装置において、
前記制御部は、
前記負荷電圧監視回路からの入力波形に基づいて、少なくとも交流電源１周期あたりにおける、前記誘導性負荷に正電圧が印加されていない時間（ｔ２）を測定し、記憶手段に記憶させる電圧非印加時間測定ステップと、
前記入力電圧監視回路からの入力波形に基づいて、前記交流電圧が正から負に変わるタイミング（Ｔ３）に同期して前記リレー接点を閉成から開放させる旨の制御信号を出力し、この制御信号の出力時（Ｔ３）から前記負荷電圧監視回路からの入力電圧が立ち上がるまでの時間（ｔ５）を測定する第２のリレー遅れ時間測定ステップと、
この第２のリレー遅れ時間測定ステップで測定した時間（ｔ５）と前記誘導性負荷への電圧非印加時間（ｔ２）とを比較して、前者（ｔ５）が後者（ｔ２）よりも短ければ、この測定した時間（ｔ５）をリレー接点開放時の動作遅れ時間（ｔｏｄ）として記憶手段に記憶させる第３のデータ確定ステップとを有し、
この後にリレー接点を閉成から開放させる旨の制御信号を出力する際には、このリレーの動作遅れ時間（ｔｏｄ）分だけ制御信号の出力タイミングを早めて制御信号を出力する制御構成を有する
ことを特徴とする誘導性負荷の駆動制御装置。
【請求項４】
前記制御部は、前記第３のデータ確定ステップにおいて、前記第２のリレー遅れ時間測定ステップで測定した時間（ｔ５）が前記誘導性負荷への電圧非印加時間（ｔ２）と同じ場合には、この測定した時間（ｔ５）を記憶手段には記憶させずにおき、
次にリレー接点を閉成から開放させる際に、前記入力電圧監視回路からの入力波形に基づいて、前記交流電圧が負から正に変わるタイミング（Ｔ４）に同期して前記リレー接点を閉成から開放させる旨の制御信号を出力し、この制御信号の出力時（Ｔ４）から前記負荷電圧監視回路からの入力電圧が次に立ち上がるまでの時間（ｔ６）を測定し、この測定した時間（ｔ６）をリレー接点開放時の動作遅れ時間（Ｔｏｄ）として記憶手段に記憶させる第４のデータ確定ステップを有し、
この後にリレー接点を閉成から開放させる旨の制御信号を出力する際には、このリレーの動作遅れ時間（ｔｏｄ）分だけ制御信号の出力タイミングを早めて制御信号を出力する制御構成を有する
ことを特徴とする請求項３に記載の誘導性負荷の駆動制御装置。
【請求項５】
燃料圧送用の電磁ポンプを備えた燃焼装置において、前記電磁ポンプの駆動制御回路として請求項１から４のいずれかに記載の駆動制御装置を備えたことを特徴とする燃焼装置。
【請求項６】
燃料圧送用の電磁ポンプを備えた燃焼装置であって、前記電磁ポンプの駆動制御回路として請求項２または４に記載の駆動制御装置を備えたものにおいて、前記第１または第３のデータ確定ステップでデータの確定を行わなかった場合、これらに続く第２または第４のデータ確定ステップが次の燃焼運転開始時または燃焼運転停止時に行われることを特徴とする燃焼装置。
【発明の詳細な説明】
【技術分野】
【０００１】
この発明は誘導性負荷の駆動制御装置および燃焼装置に関し、より詳細には、半波整流電源で作動する燃料圧送用の電磁ポンプを備えた燃焼装置における電磁ポンプの駆動制御技術に関する。
【背景技術】
【０００２】
従来、オイルを燃料とする燃焼装置においては、燃料となるオイルを燃焼部に圧送するための電磁ポンプ（誘導性負荷）を備えている。この電磁ポンプは、駆動電源として商用電源（ＡＣ１００Ｖの交流電源）を半波整流することにより得た直流（より正確には脈流）を用いており、その駆動／停止は、電源ライン上に設けられた機械式リレー（電磁ポンプの駆動リレー）の接点をマイコン（制御部）からの制御信号によって閉成（オン）／開放（オフ）させることにより行っている。
【０００３】
ところで、このように電磁ポンプの駆動リレーとして機械式のリレー接点を有するリレーを用いる場合、当該リレー接点の開閉はリレー接点に電流が流れていないときに行なうのが接点の耐久上望ましいことは広く知られている（たとえば、交流電源に挿入されるリレーに関して特許文献１，２参照）。
【０００４】
【特許文献１】特開平６−２０５５１号公報
【特許文献２】特開昭６１−５１７２０号公報
【発明の開示】
【発明が解決しようとする課題】
【０００５】
しかしながら、リレー接点に電流が流れていないときに接点の開閉を行なおうとしても、機械式のリレーの場合、接点の動作時間（リレー接点の閉成又は開放の指令を発してから実際に接点が作動するまでの時間）には遅れがあるため、この動作遅れ時間を考慮しなければ、電流が流れていない状態で接点の開閉を行なうことはできない。
【０００６】
この点に関して、上記特許文献１には、リレー接点の動作遅れ時間を測定し、この動作遅れ時間を加味して駆動リレーに対する制御信号の出力タイミングを設定する点が開示されているが、リレー接点の動作遅れ時間を測定する具体的な方法や手段については開示されていない。
【０００７】
その一方で、リレー接点の動作遅れ時間を測定するために新たに回路を設けたのでは、定格の低いリレーを用いてコストダウンを図るというメリットが減殺され、かえって電磁ポンプ駆動回路の製造コストの上昇を招くおそれがある。
【０００８】
本発明は、このような従来の問題点に鑑みてなされたものであって、既存の燃焼装置が備える電気回路を利用して電磁ポンプの駆動リレーの動作遅れ時間を測定し、回路に電流が流れていないときにリレー接点が動作するように制御信号の出力タイミングを調整することを主たる目的とし、そのための誘導性負荷の駆動制御装置を提供することにある。
【課題を解決するための手段】
【０００９】
上記目的を達成するため、本発明の請求項１に係る誘導性負荷の駆動制御装置は、交流電源と、半波整流用の整流素子と、上記整流素子を介して上記交流電源に接続された誘導性負荷と、上記誘導性負荷に流れる電流の経路を開閉するリレー接点を備えた駆動リレーと、この駆動リレーに対して接点の閉成／開放を指令する制御部とを有する誘導性負荷の駆動回路であって、上記交流電源の電圧の正負に応じたパルス波を生成する入力電圧監視回路と、上記リレー接点が開放状態にあるときは一定電圧を出力し、閉成状態にあるときには上記誘導性負荷に印加される電圧パルスに応じたパルス波を生成する負荷電圧監視回路とを備え、これら各監視回路の出力パルスが上記制御部に入力されるように構成された誘導性負荷の駆動制御装置において、上記制御部は、上記負荷電圧監視回路からの入力波形に基づいて、少なくとも交流電源１周期あたりにおける、上記誘導性負荷に正電圧が印加されていない時間（ｔ２）とを測定し、記憶手段に記憶させる電圧非印加時間測定ステップと、上記入力電圧監視回路からの入力波形に基づいて、上記交流電源が正から負に変わるタイミング（Ｔ１）に同期して上記リレー接点を開放から閉成させる旨の制御信号を出力し、この制御信号の出力時（Ｔ１）から上記負荷電圧監視回路からの入力電圧が立ち下がるまでの時間（ｔ３）を測定する第１のリレー遅れ時間測定ステップと、この第１のリレー遅れ時間測定ステップで測定した時間（ｔ３）と上記誘導性負荷への電圧非印加時間（ｔ２）とを比較して、前者（ｔ３）が後者（ｔ２）よりも短ければ、この測定した時間（ｔ３）をリレー接点閉成時の動作遅れ時間（ｔｃｄ）として記憶手段に記憶させる第１のデータ確定ステップとを有し、この後にリレー接点を開放から閉成させる旨の制御信号を出力する際には、このリレーの動作遅れ時間（ｔｃｄ）分だけ制御信号の出力タイミングを早めて制御信号を出力する制御構成を有することを特徴とする。
【００１０】
そして、本発明の請求項２に係る誘導性負荷の駆動制御装置は、請求項１に記載の誘導性負荷の駆動制御装置において、上記制御部は、上記第１のデータ確定ステップにおいて、上記第１のリレー遅れ時間測定ステップで測定した時間（ｔ３）が上記誘導性負荷への電圧非印加時間（ｔ２）よりも長い場合には、この測定した時間（ｔ３）を記憶手段には記憶させずにおき、次にリレー接点を開放から閉成させる際に、上記入力電圧監視回路からの入力波形に基づいて、上記交流電圧が負から正に変わるタイミング（Ｔ２）に同期して上記リレー接点を開放から閉成させる旨の制御信号を出力し、この制御信号の出力時（Ｔ２）から上記負荷電圧監視回路からの入力電圧が立ち下がるまでの時間（ｔ４）を測定し、この測定した時間（ｔ４）をリレー接点閉成時の動作遅れ時間（Ｔｃｄ）として記憶手段に記憶させる第２のデータ確定ステップを有し、この後にリレー接点を開放から閉成させる旨の制御信号を出力する際には、このリレーの動作遅れ時間（ｔｃｄ）分だけ制御信号の出力タイミングを早めて制御信号を出力する制御構成を有することを特徴とする。
【００１１】
すなわち、この請求項１及び２に記載の誘導性負荷の駆動制御装置は、既存の燃焼装置に備えられている入力電圧監視回路と負荷電圧監視回路とを用いて駆動リレーの動作遅れ時間（正確には、リレー接点が開放から閉成となるときの遅れ時間）を測定する。
【００１２】
具体的には、この駆動リレー閉成時の動作遅れ時間の測定は、制御部において以下のステップを実行することにより行なわれる。
【００１３】
（１）まず、上記誘導性負荷に正電圧が印加されていない時間（ｔ２）を測定し、これらの値を記憶手段に記憶させる（電圧非印加時間測定ステップ）。このステップは、リレー接点が閉成しているときの負荷電圧監視回路からの入力波形に基づいて行なわれる。負荷電圧監視回路は、駆動リレーが閉成状態にあるときには上記誘導性負荷に印加される電圧パルス（脈流パルス）に応じたパルス波を生成する回路で構成されているので、このパルス波のＨｉ期間とＬｏ期間のそれぞれを計測することにより、誘導性負荷への電圧印加時間（ｔ１）と電圧非印加時間（ｔ２）とが測定できる。
【００１４】
（２）次に、上記入力電圧監視回路からの入力波形に基づいて、上記交流電源が正から負に変わるタイミング（Ｔ１）に同期して上記リレー接点を開放から閉成させる旨の制御信号を出力し、この制御信号の出力時（Ｔ１）から上記負荷電圧監視回路からの入力電圧が立ち下がるまでの時間（ｔ３）を測定する（第１のリレー遅れ時間測定ステップ）。
【００１５】
このステップは、交流電圧が正から負に変わるタイミング（Ｔ１）、すなわち、本発明では交流電源を整流素子で半波整流しているので電圧が０となるタイミングに合わせてリレー接点の閉成（オフからオン）を指示する制御信号を出力する。ここで、負荷電圧監視回路は、上記リレー接点が開放状態にあるときは一定電圧を出力し、閉成状態にあるときには上記誘導性負荷に印加される電圧パルスに応じたパルス波を生成する回路で構成されているので、誘導性負荷に印加される電圧が０のとき（交流電圧が負の半周期にあるとき）にリレー接点が閉成されると、その時点で負荷電圧監視回路の出力波形は立ち下がる。一方、誘導性負荷に正電圧が印加されているとき（交流電圧が正の半周期にあるとき）にリレー接点が閉成されると、負荷電圧監視回路の出力波形はその時点では電圧は立ち下がらず、次に誘導性負荷に印加される電圧が０になったとき（交流電圧が次の負の半周期に入るとき）に立ち下がる。つまり、この場合、リレー接点が閉成したタイミングは負荷電圧監視回路の波形上には現れない。
【００１６】
（３）このような負荷電圧監視回路の特性を利用して、次のステップでは、上記第１のリレー遅れ時間測定ステップで測定した時間（ｔ３）と上記誘導性負荷への電圧非印加時間（ｔ２）とを比較して、前者（ｔ３）が後者（ｔ２）よりも短ければ、この測定した時間（ｔ３）をリレー接点閉成時の動作遅れ時間（ｔｃｄ）として記憶手段に記憶させる（第１のデータ確定ステップ）。
【００１７】
（４）一方、上記第１のデータ確定ステップにおいて、上記第１のリレー遅れ時間測定ステップで測定した時間（ｔ３）が上記誘導性負荷への電圧非印加時間（ｔ２）よりも長い場合には、この測定した時間（ｔ３）は記憶手段に記憶させずにおき、第２のデータ確定ステップを実行する。
【００１８】
すなわち、第２のデータ確定ステップでは、次にリレー接点を開放から閉成させる際に、上記入力電圧監視回路からの入力波形に基づいて、上記交流電圧が負から正に変わるタイミング（Ｔ２）に同期して上記リレー接点を開放から閉成させる旨の制御信号を出力し、この制御信号の出力時（Ｔ２）から上記負荷電圧監視回路からの入力電圧が立ち下がるまでの時間（ｔ４）を測定する。つまり、第１のリレー遅れ時間測定ステップより半周期遅らせてリレー接点閉成時の動作遅れ時間（Ｔｃｄ）を測定し、その値を記憶手段に記憶させる。
【００１９】
（５）このようにして、リレー接点閉成時の動作遅れ時間（Ｔｃｄ）の測定・記憶がなされると、その後において、制御部がリレー接点を開放から閉成させる旨の制御信号を出力する際には、このリレーの動作遅れ時間（ｔｃｄ）分だけ制御信号の出力タイミングを早めて制御信号を出力する。つまり、たとえば、誘導性負荷に印加される電圧が０のときに駆動リレーの接点を閉成させたい場合には、電圧０期間中の目標とする時点からリレーの動作遅れ時間（ｔｃｄ）分だけ制御信号の出力タイミングを早めることで、目標のタイミングで駆動リレーを閉成させることができる。
【００２０】
なお、第１のデータ確定ステップ及び第２のデータ確定ステップでは、測定した時間（ｔ３）を電圧非印加時間（ｔ２）と比較する場合について説明したが、電圧非印加時間（ｔ２）と電圧印加時間（ｔ１）とはほぼ同じ値となるので、比較対象として電圧印加時間（ｔ１）を用いることも可能である。
【００２１】
また、本発明の請求項３に係る誘導性負荷の駆動制御装置は、交流電源と、半波整流用の整流素子と、上記整流素子を介して上記交流電源に接続された誘導性負荷と、上記誘導性負荷に流れる電流の経路を開閉するリレー接点を備えた駆動リレーと、この駆動リレーに対して接点の閉成／開放を指令する制御部とを有する誘導性負荷の駆動回路であって、上記交流電源の電圧の正負に応じたパルス波を生成する入力電圧監視回路と、上記リレー接点が開放状態にあるときは一定電圧を出力し、閉成状態にあるときには上記誘導性負荷に印加される電圧パルスに応じたパルス波を生成する負荷電圧監視回路とを備え、これら各監視回路の出力パルスが上記制御部に入力されるように構成された誘導性負荷の駆動制御装置において、上記制御部は、上記負荷電圧監視回路からの入力波形に基づいて、少なくとも交流電源１周期あたりにおける、上記誘導性負荷に正電圧が印加されていない時間（ｔ２）を測定し、記憶手段に記憶させる電圧非印加時間測定ステップと、上記入力電圧監視回路からの入力波形に基づいて、上記交流電圧が正から負に変わるタイミング（Ｔ３）に同期して上記リレー接点を閉成から開放させる旨の制御信号を出力し、この制御信号の出力時（Ｔ３）から上記負荷電圧監視回路からの入力電圧が立ち上がるまでの時間（ｔ５）を測定する第２のリレー遅れ時間測定ステップと、この第２のリレー遅れ時間測定ステップで測定した時間（ｔ５）と上記誘導性負荷への電圧非印加時間（ｔ２）とを比較して、前者（ｔ５）が後者（ｔ２）よりも短ければ、この測定した時間（ｔ５）をリレー接点開放時の動作遅れ時間（ｔｏｄ）として記憶手段に記憶させる第３のデータ確定ステップとを有し、この後にリレー接点を閉成から開放させる旨の制御信号を出力する際には、このリレーの動作遅れ時間（ｔｏｄ）分だけ制御信号の出力タイミングを早めて制御信号を出力する制御構成を有することを特徴とする。
【００２２】
そして、本発明の請求項４に係る誘導性負荷の駆動制御装置は、請求項３に記載の誘導性負荷の駆動制御装置において、上記制御部は、上記第３のデータ確定ステップにおいて、上記第２のリレー遅れ時間測定ステップで測定した時間（ｔ５）が上記誘導性負荷への電圧非印加時間（ｔ２）と同じ場合には、この測定した時間（ｔ５）を記憶手段には記憶させずにおき、次にリレー接点を閉成から開放させる際に、上記入力電圧監視回路からの入力波形に基づいて、上記交流電圧が負から正に変わるタイミング（Ｔ４）に同期して上記リレー接点を閉成から開放させる旨の制御信号を出力し、この制御信号の出力時（Ｔ４）から上記負荷電圧監視回路からの入力電圧が次に立ち上がるまでの時間（ｔ６）を測定し、この測定した時間（ｔ６）をリレー接点開放時の動作遅れ時間（Ｔｏｄ）として記憶手段に記憶させる第４のデータ確定ステップを有し、この後にリレー接点を閉成から開放させる旨の制御信号を出力する際には、このリレーの動作遅れ時間（ｔｏｄ）分だけ制御信号の出力タイミングを早めて制御信号を出力する制御構成を有することを特徴とする。
【００２３】
すなわち、この請求項３及び４に記載の誘導性負荷の駆動制御装置は、既存の燃焼装置に備えられている入力電圧監視回路と負荷電圧監視回路とを用いて駆動リレーの動作遅れ時間（正確には、リレー接点が閉成から開放となるときの遅れ時間）を測定する。
【００２４】
具体的には、駆動リレー開放時の動作遅れ時間の測定は、制御部において以下のステップを実行することにより行なわれる。
【００２５】
（１）まず、少なくとも上記誘導性負荷に正電圧が印加されていない時間（ｔ２）を測定し、これらの値を記憶手段に記憶させる（電圧非印加時間測定ステップ）。このステップは、上述した駆動リレー閉成時の動作遅れ時間の測定に説明した電圧非印加時間測定ステップと同様である。
【００２６】
（２）次に、上記入力電圧監視回路からの入力波形に基づいて、上記交流電圧が正から負に変わるタイミング（Ｔ３）に同期して上記リレー接点を閉成から開放させる旨の制御信号を出力し、この制御信号の出力時（Ｔ３）から上記負荷電圧監視回路からの入力電圧が立ち上がるまでの時間（ｔ５）を測定する（第２のリレー遅れ時間測定ステップ）。
【００２７】
このステップは、交流電圧が正から負に変わるタイミング（Ｔ３）、すなわち、本発明では交流電源を整流素子で半波整流しているので電圧が０となるタイミングに合わせてリレー接点の開放（オンからオフ）を指示する制御信号を出力する。ここで、負荷電圧監視回路は、上記リレー接点が開放状態にあるときは一定電圧を出力し、閉成状態にあるときには上記誘導性負荷に印加される電圧パルスに応じたパルス波を生成する回路で構成されているので、誘導性負荷に印加される電圧が０のとき（交流電圧が負の半周期にあるとき）にリレー接点が開放されると、その時点で負荷電圧監視回路の出力波形は立ち上がる。一方、誘導性負荷に正電圧が印加されているとき（交流電圧が正の半周期にあるとき）にリレー接点が開放されても、その時点では既に負荷電圧監視回路の出力波形は立ち上がっており（Ｈｉとなっており）、リレー接点が閉成されない限りこのＨｉの状態が維持されるので、この場合は、リレー接点が開放されたタイミングを負荷電圧監視回路の波形で確認することができない。
【００２８】
（３）請求項３及び４の発明は、このような負荷電圧監視回路の特性を利用して、次のステップで、上記第２のリレー遅れ時間測定ステップで測定した時間（ｔ５）と上記誘導性負荷への電圧非印加時間（ｔ２）とを比較して、前者（ｔ５）が後者（ｔ２）よりも短ければ、この測定した時間（ｔ５）をリレー接点開放時の動作遅れ時間（ｔｏｄ）として記憶手段に記憶させる（第３のデータ確定ステップ）。
【００２９】
（４）一方、上記第３のデータ確定ステップにおいて、上記第２のリレー遅れ時間測定ステップで測定した時間（ｔ５）が上記誘導性負荷への電圧非印加時間（ｔ２）と同時間の場合には、この測定した時間（ｔ５）は記憶手段に記憶させずにおき、第４のデータ確定ステップを実行する。
【００３０】
すなわち、第４のデータ確定ステップでは、次にリレー接点を閉成から開放させる際に、上記入力電圧監視回路からの入力波形に基づいて、上記交流電圧が負から正に変わるタイミング（Ｔ４）に同期して上記リレー接点を閉成から開放させる旨の制御信号を出力し、この制御信号の出力時（Ｔ４）から上記負荷電圧監視回路からの入力電圧が次に立ち上がるまでの時間（Ｔ６）を測定し、この測定した時間（ｔ６）をリレー接点開放時の動作遅れ時間（Ｔｏｄ）として記憶手段に記憶させる。
【００３１】
（５）このようにして、リレー接点開放時の動作遅れ時間（Ｔｏｄ）の測定・記憶がなされると、その後において、制御部がリレー接点を閉成から開放させる旨の制御信号を出力する際には、このリレーの動作遅れ時間（ｔｏｄ）分だけ制御信号の出力タイミングを早めて制御信号を出力する。つまり、たとえば、誘導性負荷に印加される電圧が０のときに駆動リレーの接点を開放させたい場合には、電圧０期間中の目標とする時点からリレーの動作遅れ時間（ｔｏｄ）分だけ制御信号の出力タイミングを早めることで、目標のタイミングで駆動リレーを開放させることができる。
【００３２】
また、本発明の請求項５に係る燃焼装置は、燃料圧送用の電磁ポンプを備えた燃焼装置において、上記電磁ポンプの駆動制御回路として請求項１から４のいずれかに記載の駆動制御装置を備えたことを特徴とする。
【００３３】
すなわち、このように、燃料圧送用の電磁ポンプを備えた燃焼装置においては、装置の安全対策として、入力電圧監視回路と負荷電圧監視回路とが備えられていることから、制御部のソフトウェアを載せ替えるだけで本発明を適用することができる。
【００３４】
また、本発明の請求項６に係る燃焼装置は、燃料圧送用の電磁ポンプを備えた燃焼装置であって、前記電磁ポンプの駆動制御回路として請求項２または４に記載の駆動制御装置を備えたものにおいて、前記第１または第３のデータ確定ステップでデータの確定を行わなかった場合、これらに続く第２または第４のデータ確定ステップが次の燃焼運転開始時または燃焼運転停止時に行われることを特徴とする。
【００３５】
これにより、第１または第３のデータ確定ステップでデータの確定ができなかった場合には、次の燃焼開始時または燃焼停止時に動作遅れ時間の測定とその確定処理が行われるので、一度の燃焼運転の際に何度もリレー接点を開閉することがない。
【発明の効果】
【００３６】
本発明に係る誘導性負荷の駆動制御装置によれば、半波整流電源によって動作する誘導性負荷の駆動リレーにおける機械的な動作遅れ時間を、入力電圧監視回路と負荷電圧監視回路の出力信号に基づいて、当該駆動リレーに対してリレー接点の閉成又は開放を指令する制御信号を出力する機能を備えた制御部において測定できることから、該制御部が上記駆動リレーを制御するにあたり、駆動リレーの動作遅れ時間を加味したリレー制御が可能になる。
【００３７】
したがって、上記制御部は、リレー接点に電流が流れていないタイミングでリレー接点が閉成または開放動作するように制御信号を出力できるので、リレー接点の耐久性の向上を図ることができるとともに、定格の低い駆動リレーを使用することも可能になる。
【００３８】
しかも、燃料圧送用に電磁ポンプを備えた燃焼装置においては、制御部のソフトウェアを載せ替えるだけで本発明を適用できるので、部品点数の増加がなく、低コストで本発明を適用することができる。
【００３９】
しかも、請求項６の発明によれば、一度の燃焼運転の際に何度もリレー接点を開閉することがないので、燃焼加熱式の給湯装置に適用した場合、リレー接点の開閉の繰り返しによる出湯温度特性の低下を招いたり、リレーの耐久性を著しく損なったりすることなく、リレーの動作遅れ時間を測定でき、給湯装置への適用に適した燃焼装置を提供できる。そして、特にこの点は、高い出湯温度特性が要求される瞬間式の一般給湯を行う給湯装置においては極めて有用である。
【発明を実施するための最良の形態】
【００４０】
以下、本発明の一実施形態を図面に基づいて詳細に説明する。
【００４１】
図１は、本発明が好適に適用される電磁ポンプの駆動回路を示している。この電磁ポンプ駆動回路１は、オイルを燃料とする燃焼装置において、図示しない燃焼部にオイルを供給するための電磁ポンプを駆動するための回路であって、図において、２は交流１００Ｖの商用電源、３は電磁ポンプ、４は半波整流を行なう整流素子（ダイオード）、５は上記交流電源２と接続された電源ライン１０上にあって上記電磁ポンプ３に流れる電流の経路を開閉する駆動リレーのリレー接点、６は上記駆動リレー（より具体的にはリレーの１次側コイル（図示せず））に対して接点の閉成（オン）／開放（オフ）を指令する制御信号を生成する制御部を示している。
【００４２】
ここで、上記電磁ポンプ３は、上記整流素子４によって整流された半波波形（脈流）を電源として動作する直流負荷であって、コイル成分を含んだ誘導性負荷で構成されている。また、上記駆動リレーには、機械式のリレー接点を備えたパワーリレーが使用される。さらに、上記制御部６は、燃焼装置各部の動作を制御する制御プログラムを備えたマイコンを主要部として構成されている。そして、本発明では特にこの制御部６には、上記駆動リレーの制御用プログラムが備えられている（詳細は後述する）。
【００４３】
なお、図示の電磁ポンプ駆動回路１においては、上記電源ライン１０には、上述した電磁ポンプ３のほかに、燃焼部に点火するためのイグナイタ１１と、湯水が流れる配管（図示せず）の凍結を予防するための凍結予防ヒータ１２，１３と、これらの駆動／停止を制御するためのリレー接点１４〜１６が接続されているが、これらはいずれも本発明とは直接関係しないので説明を省略する。
【００４４】
そして、この電磁ポンプ駆動回路１は、上記電源ライン１０上に常閉（ノーマルクローズ）のハイリミットスイッチ７を備えている。このハイリミットスイッチ７は、燃焼缶体（燃焼部）の近傍に配置され、該燃焼缶体が所定温度を超えて高温になるとその温度を検知して上記制御部６による制御とは無関係に自動的に接点が開放されるスイッチで構成される。つまり、燃焼装置に異常が生じて燃焼缶体が高温になると、このハイリミットスイッチ７の接点が自動的に開放（オープン）状態となり、電磁ポンプ３への電力供給が遮断され、燃焼部への燃料供給が自動的に停止される。
【００４５】
また、この電磁ポンプ駆動回路１においては、上記電源ライン１０のライン電圧を監視することで上記ハイリミットスイッチ７が開閉いずれの状態にあるかを監視するハイリミット監視回路８と、電磁ポンプ３に印加される電圧を監視することにより電磁ポンプ３が駆動／停止何れの状態にあるかを監視する電磁ポンプ監視回路９とが設けられており、これら各監視回路８，９の回路出力が上記制御部６に入力されている。
【００４６】
具体的には、上記ハイリミット監視回路８は、上記商用電源２の電圧の正負に応じたパルス波を生成する入力電圧監視回路であって、具体的には、上記電源ライン１０と制御部６とを絶縁するフォトカプラ２１と、制御部６への信号電圧を供給する直流電圧源（図示例ではＤＣ５Ｖ電源）Ｖｃｃとを主要部として構成される。
【００４７】
そして、本実施形態では、このハイリミット監視回路８は、上記電源ライン１０に正の電圧が印加されるとフォトカプラ２１がオンして上記制御部６には０Ｖの信号電圧（Ｌｏ信号）が入力され、反対に、上記電源ライン１０に負の電圧が印加されるとフォトカプラ２１がオフとなって上記制御部６には直流電圧源Ｖｃｃからの信号電圧（Ｈｉ信号）が印加されるように構成されている（図２参照）。
【００４８】
つまり、上記制御部６は、このハイリミット監視回路８から、商用電源２の電圧の正負に対応したパルス波が入力されているときには、上記ハイリミットスイッチ７の接点は閉成（クローズ）の状態にあり、燃焼装置は正常に動作していると判断する一方、パルス波の入力が停止し、入力信号がＨｉ状態を継続すると、上記ハイリミットスイッチ７の接点は開放（オープン）の状態にあり、燃焼装置に異常が生じていると判断して、所定の安全動作を実行する。
【００４９】
一方、電磁ポンプ監視回路９は、上記電磁ポンプ３に印加される電圧を監視する負荷電圧監視回路であって、上記ハイリミット監視回路８と同様に、上記電源ライン１０と制御部６とを絶縁するフォトカプラ２２と、制御部６への信号電圧を供給する直流電圧源（図示例ではＤＣ５Ｖ電源）Ｖｃｃ２とを主要部として構成される。
【００５０】
そして、本実施形態では、この電磁ポンプ監視回路９は、上記リレー接点５が開放状態にあるときには、フォトカプラ２２がオフとなって直流電圧源Ｖｃｃ２からの信号電圧（ＤＣ５Ｖ）が出力される一方、上記リレー接点５が閉成状態にあるときには、フォトカプラ２２がオンとなって、電磁ポンプ３に印加される電圧パルス（半波整流された脈流パルス）に応じたパルス波が生成・出力される（図２参照）。
【００５１】
つまり、上記制御部６は、この電磁ポンプ監視回路９から、一定電圧（ＤＣ５Ｖ）が継続して入力されると、上記リレー接点５が開放状態（換言すれば、電磁ポンプ３は停止状態）にあると判断する一方、半波整流された脈流パルスに対応したパルス波が入力されると、上記リレー接点５が閉成状態にある（換言すれば、電磁ポンプ３は駆動状態）にあると判断する。
【００５２】
ところで、このように構成されたハイリミット監視回路８と電磁ポンプ監視回路９は、いずれも燃料圧送用の電磁ポンプ３を備えた燃焼装置に従来より備えられていた監視回路である。本発明に係る燃焼装置では、これら監視回路８，９からの出力信号を利用して、上記制御部６が駆動リレーの動作遅れ時間（正確には、リレー接点５が開放から閉成するときの動作遅れ時間ｔｃｄと、リレー接点５が閉成から開放するときの動作遅れ時間ｔｏｄと）を測定することに特徴があるので、以下、その点について図２及び図３に基づいて説明する。
【００５３】
Ａ．リレー接点５が閉成するとき（接点閉成時）の動作遅れ時間ｔｃｄについて
図２は、駆動リレーの接点閉成時における動作遅れ時間ｔｃｄを測定する手順を説明するためのタイミングチャートであって、図２(a)は上記商用電源２の電圧波形を、図２(b)はハイリミット監視回路の出力波形を、図２(c)は電磁ポンプ３に印加される電圧波形を、図２(d)から(f)は電磁ポンプ監視回路の出力波形をそれぞれ示している。
【００５４】
（１）駆動リレーの接点閉成時における動作遅れ時間ｔｃｄを測定するにあたり、本発明では、まず、上記制御部６は、少なくとも上記電磁ポンプ３に対して正電圧が印加されていいない時間ｔ２を測定し（本実施形態では、電圧が印加されている時間ｔ１も測定する）、これらの値を上記制御部６を構成するマイコンが有するＲＡＭなどのメモリ（記憶手段）に記憶させる（以下、この工程を「電圧非印加時間測定ステップ」と称する）。
【００５５】
ここで、これら電圧印加時間ｔ１と電圧非印加時間ｔ２の測定・記憶は、リレー接点５が閉成しているときの電磁ポンプ監視回路９からの入力波形に基づいて行なわれる（図２(d)参照）。すなわち、上述したように、電磁ポンプ監視回路９は、リレー接点５が閉成状態にあるときには電磁ポンプ３に印加される電圧パルス（脈流パルス）に応じたパルス波を生成・出力するので、このパルス波のＨｉ期間とＬｏ期間のそれぞれを計測することにより、電磁ポンプ３への電圧印加時間ｔ１と電圧非印加時間ｔ２とが測定される。
【００５６】
なお、この工程は、ハイリミット監視回路８の出力波形に基づいて測定したり、あるいは、商用電源２の周波数から演算によって求めたりすることも可能であるが、後述するように、本発明では、電磁ポンプ監視回路９の出力波形に基づいて駆動リレーの動作遅れ時間を測定するので、電磁ポンプ監視回路９の出力波形に基づいて電圧印加時間ｔ１と電圧非印加時間ｔ２を測定するのが望ましく、本実施形態でもそのように構成している。
【００５７】
また、本実施形態では、上記電圧印加時間ｔ１と電圧非印加時間ｔ２の測定・記憶は、燃焼装置が施工（現場に設置）され、かつ、燃焼装置に電源が投入（換言すれば、制御部６に電力供給が開始）されてから最初の燃焼運転（ここに、燃焼運転とは、人為的に燃焼開始が指示された場合（燃焼加熱式の給湯装置において、給湯栓の開栓操作による通水を検知して燃焼が開始される場合を含む）の燃焼動作をいう）の際に行なわれる。すなわち、この工程は、燃焼装置の施工前（換言すれば、工場出荷の際の出荷検査時）に実施しておくことも可能であるが、その場合、これらの値を記憶するメモリとして不揮発性のメモリが必要となる。本実施形態では、これらの値の記憶手段としてマイコンが備えるメモリ（具体的には揮発性のＲＡＭ）を用いていることから、燃焼装置施工後における最初の燃焼運転の際にこの工程を実行することとしている。
【００５８】
（２）このようにして、上記電磁ポンプ３に対する電圧印加時間ｔ１と電圧非印加時間ｔ２の測定・記憶がなされると、制御部６は、次の燃焼運転の際に、上記ハイリミット監視回路８からの入力波形に基づいて、上記商用電源２の電圧が正から負に変わるタイミング（ハイリミット監視回路８の波形が立ち下がるタイミング）Ｔ１に同期して上記リレー接点５を開放から閉成（オフからオン）とする旨の制御信号を駆動リレーに対して出力し、この制御信号の出力時Ｔ１から上記電磁ポンプ監視回路９からの入力電圧が立ち下がるまでの時間ｔ３を測定する（以下、この工程を「第１のリレー遅れ時間測定ステップ」と称する）。
【００５９】
この工程では、商用電源の電圧が正から負に変わるタイミングＴ１、すなわち、本実施形態では、商用電源を整流素子４で半波整流して電磁ポンプ３に供給しているので、このタイミングＴ１は電磁ポンプ３に供給される電圧が０Ｖとなるタイミングと同じタイミングとなり、制御部６は、このタイミングＴ１に合わせてリレー接点の閉成（オフからオン）を指示する制御信号を出力する。
【００６０】
ここで、電磁ポンプ監視回路９は、上記リレー接点５が開放状態にあるときは一定電圧（本実施例ではＤＣ５Ｖ）を出力し、閉成状態にあるときには電磁ポンプ３に印加される電圧パルスに応じたパルス波を生成する回路で構成されるので、上記タイミングＴ１の直後にくる電磁ポンプ３への印加電圧が０Ｖの期間中（交流電圧が負の半周期にあるとき）にリレー接点が閉成動作を完了すると、その時点で電磁ポンプ監視回路９の出力波形は立ち下がる（図２(d)のｔ３参照）。
【００６１】
その一方、電磁ポンプ３に正電圧が印加されているとき（交流電圧が正の半周期にあるとき）にリレー接点５の閉成動作が完了すると、このときはリレー接点５の動作に伴って電磁ポンプ監視回路９の出力波形は立ち下がらず、電磁ポンプ３に印加される電圧が再び０Ｖになったとき（交流電圧が次の負の半周期に入るとき）に立ち下がる（図２(e)のｔ３参照）。すなわち、この場合、リレー接点５が閉成しても電磁ポンプ監視回路９の出力波形はＨｉ期間にあるので、リレー接点５が閉成したタイミングは電磁ポンプ監視回路９の出力波形上には現れない。
【００６２】
（３）このようにして、電磁ポンプ監視回路９からの入力電圧が立ち下がるまでの時間ｔ３を測定すると、次に制御部６は、この第１のリレー遅れ時間測定ステップで測定した時間ｔ３と上記誘導性負荷への電圧非印加時間ｔ２とを比較して、前者ｔ３が後者ｔ２よりも短ければ、この測定した時間ｔ３をリレー接点閉成時の動作遅れ時間ｔｃｄとして上記メモリに記憶させる（以下、この工程を「第１のデータ確定ステップ」と称する）。
【００６３】
（４）一方、上記第１のデータ確定ステップにおいて、上記第１のリレー遅れ時間測定ステップで測定した時間ｔ３が上記電圧非印加時間ｔ２よりも長い場合には、上記タイミングＴ１から始まるリレー接点閉成時の動作遅れ時間ｔｃｄの測定は失敗として、制御部６は、この測定した時間ｔ３はメモリに記憶せずに測定に失敗した旨を記憶し、このときの燃焼運転ではリレー接点閉成時の動作遅れ時間ｔｃｄの測定は行わずに、次に燃焼運転が行われるときに、再び以下の手順で動作遅れ時間ｔｃｄの測定を行う。
【００６４】
すなわち、先の失敗の後に行われる次の燃焼運転の際（リレー接点を再び開放から閉成させる際）に、制御部６は、記憶手段に記憶された「測定失敗」の記録から先の燃焼運転の際に動作遅れ時間ｔｃｄの測定に失敗したことを確認すると、上記ハイリミット監視回路８からの入力波形に基づいて、今度は商用電源の電圧が負から正に変わるタイミングＴ２に同期して上記リレー接点５を開放から閉成させる旨の制御信号を出力する。そして、今度はこの制御信号の出力時Ｔ２から上記電磁ポンプ監視回路９からの入力電圧が立ち下がるまでの時間ｔ４を測定する。つまり、２度目の測定では、上述した第１のリレー遅れ時間測定ステップより制御信号の出力タイミングを半周期（１／２周期）遅らせてリレー接点閉成時の動作遅れ時間Ｔｃｄを測定し、その値をメモリに記憶させる（以下、この工程を「第２のデータ確定ステップ」と称する）。
【００６５】
ここで、このように制御信号の出力タイミングを半周期遅らせているのは、先の失敗によってリレー接点閉成時の動作遅れ時間Ｔｃｄが商用電源の半周期より長いことがわかるので、リレー接点が閉成動作を完了したときに、その結果が電磁ポンプ監視回路９の出力波形に電圧の立ち下がりとして現れるようにするためである。
【００６６】
（５）このようにして、リレー接点閉成時の動作遅れ時間Ｔｃｄの測定・記憶がなされると、その後において、つまり、次の燃焼運転を行うときから、制御部６がリレー接点５を開放から閉成させる旨の制御信号を出力する際には、この駆動リレーの動作遅れ時間ｔｃｄ分だけ制御信号の出力タイミングを早めて制御信号を出力する。具体的には、電磁ポンプ３に印加される電圧が０Ｖの期間（図２(b)のｔ０参照）のときにリレー接点５を閉成させるのが接点の耐久上好ましいので、たとえば、この期間ｔ０の中間点で接点を閉成させたい場合には、この中間点からリレーの動作遅れ時間ｔｃｄ分だけ制御信号の出力タイミングを早めることで、目標のタイミングで駆動リレーを閉成させることができる。
【００６７】
Ｂ．リレー接点５が開放するとき（接点開放時）の動作遅れ時間ｔｏｄについて
次に、接点開放時の動作遅れ時間ｔｏｄの測定手順について図３に基づいて説明する。図３は、駆動リレーの接点開放時における動作遅れ時間ｔｏｄを測定する手順を説明するためのタイミングチャートであって、図３(a)は上記商用電源２の電圧波形を、図３(b)はハイリミット監視回路の出力波形を、図３(c)は電磁ポンプ３に印加される電圧波形を、図３(d)から(f)は電磁ポンプ監視回路の出力波形をそれぞれ示している。
【００６８】
（１）駆動リレーの接点開放時における動作遅れ時間ｔｏｄを測定するにあたり、本発明では、上記リレー接点閉成時の動作遅れ時間ｔｃｄの場合と同様、まず、制御部６は、上記電磁ポンプ３に対する電圧印加時間ｔ１と電圧非印加時間ｔ２とを測定し、これらの値を記憶手段に記憶させる。なお、この工程は、上述した駆動リレー閉成時の動作遅れ時間ｔｃｄの測定において説明した電圧非印加時間測定ステップと同じ工程であるので、制御部６は、一度この工程を実行していれば重ねて実行する必要はない。
【００６９】
（２）そして、次に、燃焼運転が停止される際（駆動リレーのリレー接点５を開放する際）に、上記制御部６は、上記ハイリミット監視回路８からの入力波形に基づいて、上記商用電源の電圧が正から負に変わるタイミングＴ３に同期して上記リレー接点５を閉成から開放させる旨の制御信号を出力し、この制御信号の出力時Ｔ３から上記電磁ポンプ監視回路９からの入力電圧が立ち上がるまでの時間ｔ５を測定する（以下、この工程を「第２のリレー遅れ時間測定ステップ」と称する）。
【００７０】
すなわち、この工程では、商用電源の電圧が正から負に変わるタイミングＴ３、すなわち、本実施形態では、商用電源２を整流素子４で半波整流して電磁ポンプ３に供給しているので、このタイミングＴ３は電磁ポンプ３に供給される電圧が０Ｖとなるタイミングと同じタイミングとなり、制御部６は、このタイミングＴ３に合わせてリレー接点の開放（オンからオフ）を指示する制御信号を出力する。
【００７１】
ここで、電磁ポンプ監視回路９は、上記リレー接点５が開放状態にあるときは一定電圧（本実施例ではＤＣ５Ｖ）を出力し、閉成状態にあるときには電磁ポンプ３に印加される電圧パルスに応じたパルス波を生成する回路で構成されるので、上記タイミングＴ３の直後にくる電磁ポンプ３への印加電圧が０Ｖの期間中（交流電圧が負の半周期にあるとき）にリレー接点５が開放動作を完了すると、その時点で電磁ポンプ監視回路９の出力波形が立ち上がることとなる（図３(d)のｔ５参照）。
【００７２】
これに対して、電磁ポンプ３に正電圧が印加されているとき（交流電圧が正の半周期にあるとき）にリレー接点５の開放動作が完了した場合は、その時点では既に電磁ポンプ監視回路９の出力波形は立ち上がっており（Ｈｉ期間となっており）、このＨｉ期間中にリレー接点が開放動作を完了してもその動作時点が電磁ポンプ監視回路９の出力波形には現れない。具体的には、たとえば、図３(e)に示すように、リレー接点５の開放動作完了までに（ｔ２＋ｔα）時間を要した場合、電磁ポンプ監視回路９の出力波形はタイミングＴ３からｔ２時間が経過した時点で立ち上がってしまうので、この場合に、電磁ポンプ監視回路９の出力電圧が立ち上がるまでの時間ｔ５を計測しても（ｔ５＝ｔ２）となり、リレー接点５が開放されたタイミングを把握することができない。
【００７３】
（３）そこで、制御部６は、このようにして電磁ポンプ監視回路９からの入力電圧が立ち上がるまでの時間ｔ５を測定すると、次に、上記第２のリレー遅れ時間測定ステップで測定した時間ｔ５と上記電圧非印加時間ｔ２とを比較して、前者ｔ５が後者ｔ２よりも短ければ、この測定した時間ｔ５をリレー接点開放時の動作遅れ時間ｔｏｄとしてメモリに記憶させる（以下、この工程を「第３のデータ確定ステップ」と称する）。
【００７４】
（４）一方、上記第３のデータ確定ステップにおいて、上記第２のリレー遅れ時間測定ステップで測定した時間ｔ５が上記電圧非印加時間ｔ２と同じ場合には、上記タイミングＴ３から始まるリレー接点開放時の動作遅れ時間ｔｏｄの測定は失敗として、制御部６は、この測定した時間ｔ５はメモリに記憶させずにおき、このときの燃焼運転停止時にはリレー接点開放時の動作遅れ時間ｔｏｄの測定は行わずに、次に燃焼運転が停止するときに、再び以下の手順で動作遅れ時間ｔｏｄの測定を行う。
【００７５】
すなわち、先の失敗の後に行われる次の燃焼運転停止の際（リレー接点を再び閉成から開放させる際）に、制御部６は、上記ハイリミット監視回路８からの入力波形に基づいて、今度は、上記商用電源２の電圧が負から正に変わるタイミングＴ４に同期して上記リレー接点５を閉成から開放させる旨の制御信号を出力する。そして、今度は、この制御信号の出力時Ｔ４から上記電磁ポンプ監視回路９からの入力電圧が次に立ち上がるまでの時間ｔ６を測定し、この測定した時間ｔ６をリレー接点開放時の動作遅れ時間Ｔｏｄとしてメモリに記憶させる。つまり、２度目の測定では、上述した第２のリレー遅れ時間測定ステップより制御信号の出力タイミングを半周期（１／２周期）遅らせてリレー接点開放時の動作遅れ時間Ｔｏｄを測定し、その値をメモリに記憶させる（以下、この工程を「第４のデータ確定ステップ」と称する）。
【００７６】
ここで、このように制御信号の出力タイミングを半周期遅らせたのは、上述したリレー接点閉成時の動作遅れ時間ｔｃｄの測定と同様に、先の失敗によってリレー接点開放時の動作遅れ時間Ｔｏｄが商用電源の半周期より長いことがわかるので、リレー接点が開放動作を完了したときに、その結果が電磁ポンプ監視回路９の出力波形に電圧の立ち上がりとして現れるようにするためである。
【００７７】
（５）このようにして、リレー接点開放時の動作遅れ時間Ｔｏｄの測定・記憶がなされると、その後において、再び制御部６がリレー接点を閉成から開放させる旨の制御信号を出力する際には、このリレーの動作遅れ時間ｔｏｄ分だけ制御信号の出力タイミングを早めて制御信号を出力する。具体的には、電磁ポンプ３に印加される電圧が０Ｖの期間（図３(c)のｔ０参照）のときにリレー接点５を開放させるのが接点の耐久上好ましいので、たとえば、この期間ｔ０の中間点で接点を開放させたい場合には、この中間点からリレーの動作遅れ時間ｔｏｄ分だけ制御信号の出力タイミングを早めることで、目標のタイミングで駆動リレーを閉成させることができる。
【００７８】
このように、本実施形態に示す燃焼装置によれば、該燃焼装置が通常備えるハイリミット監視回路８と電磁ポンプ監視回路９の出力波形に基づいて電磁ポンプ３の駆動リレーの動作遅れ時間を測定できるので、本発明を適用するにあたり、制御部６のソフトウェアを載せ替えるだけで容易に本発明を適用できる。換言すれば、部品点数の増加がなく、低コストで本発明を適用することができる。しかも、駆動リレーの動作遅れ時間を加味したリレー制御が可能になることから、電磁ポンプ３の駆動リレーとして定格の低いリレーを使用することができるようになる。
【００７９】
なお、上述した実施形態はあくまでも本発明の好適な実施態様を示すものであって、本発明はこれらに限定されることなくその範囲内で種々の設計変更が可能である。  
【００８０】
たとえば、上述した実施形態では、制御部６が、燃焼運転の開始時（リレー接点５の閉成時）と燃焼運転の停止時（リレー接点５の開放時）の双方について、リレー接点の動作遅れ時間ｔｃｄ，ｔｏｄの測定を行うようにした場合について説明したが、制御部６のプログラムの設定により、燃焼運転の開始時又は燃焼運転の停止時のいずれか一方のみについて動作遅れ時間を測定し、リレー制御を行うように構成することも可能である。
【００８１】
また、上述した実施形態では、リレー制御に関して、リレー接点の動作遅れ時間のみを考慮する場合について説明したが、本実施形態に示すような誘導性負荷の場合、電流遅れが生じることから、この電流遅れ時間も加味してリレー制御を行うことも可能である。
【００８２】
また、上述した実施形態では、第１及び第２のリレー遅れ時間測定ステップで測定された時間ｔ３，ｔ５が第１及び第３のデータ確定ステップにおいて確定されなかった場合（測定が失敗と判断された場合）、次の燃焼運転時又は次の燃焼運転停止時まで待って測定のタイミングを半周期遅らせて再度測定する場合について説明したが、たとえば、次の燃焼運転時又は次の燃焼運転停止時まで待たずに続けて測定を行うように設定することも可能である。すなわち、たとえば第１のリレー遅れ時間測定ステップで測定された時間ｔ３が電圧非印加時間ｔ２よりも長かった場合には、その時点で燃焼運転を停止させて、第２のデータ確定ステップを実行する（測定のタイミングを半周期遅らせて再度測定する）ように構成することも可能である。
【００８３】
また、上述した実施形態では、リレー接点の動作遅れ時間の測定にあたり、まず初めに電圧非印加時間測定ステップを実行する場合について説明したが、たとえば第２のリレー遅れ時間測定ステップを実行した後に電圧印加時間ｔ１と電圧非印加時間ｔ２を測定するように構成することも可能である。
【００８４】
また、上述した実施形態は、リレー接点の動作遅れ時間ｔｃｄ，ｔｏｄがいずれも商用電源２の周波数の１周期を超えない場合について説明したが、たとえば、上述した第１のデータ確定ステップで測定される時間ｔ３が１周期を超える場合にはその値を動作遅れ時間ｔｃｄとすることができる。
【００８５】
また、上述した実施形態では、リレー接点の動作遅れ時間の測定を燃焼装置の施工後に行う場合を示したが、たとえば、燃焼装置（具体的には，制御部６）の出荷検査時においてリレー接点の動作遅れ時間の測定を行わせることも可能である。すなわち、この場合、制御部６の基板と所定の基板検査装置とを通信接続し、該基板検査装置側から制御部６の基板に対してリレーの動作遅れ時間の測定開始を要求する指令信号を出力し、制御部６に上述した手順での動作遅れ時間の測定を行わせる。そして、その結果を、制御部６の不揮発性メモリに記憶させることで、施工後の測定をなくすことができる。
【００８６】
また、上述した実施形態では、本発明を燃料圧送用の電磁ポンプ３を備える燃焼装置に適用した場合を示したが、本発明は、交流電源を半波整流した電源で動作する誘導性負荷の駆動リレーの制御装置であって、上述した入力電圧監視回路（ハイリミット監視回路）と負荷電圧監視回路（電磁ポンプ監視回路）に相当する回路を備えたものであれば、他の装置にも適用可能である。
【図面の簡単な説明】
【００８７】
【図１】本発明が好適に適用される電磁ポンプの駆動回路の回路図である。
【図２】本発明に係る駆動リレーの接点閉成時における動作遅れ時間を測定する手順を説明するタイミングチャートであって、図２(a)は上記商用電源２の電圧波形を、図２(b)はハイリミット監視回路の出力波形を、図２(c)は電磁ポンプ３に印加される電圧波形を、図２(d)から(f)は電磁ポンプ監視回路の出力波形をそれぞれ示している。
【図３】本発明に係る駆動リレーの接点開放時における動作遅れ時間を測定する手順を説明するタイミングチャートであって、図３(a)は上記商用電源２の電圧波形を、図３(b)はハイリミット監視回路の出力波形を、図３(c)は電磁ポンプ３に印加される電圧波形を、図３(d)から(f)は電磁ポンプ監視回路の出力波形をそれぞれ示している。
【符号の説明】
【００８８】
１            電磁ポンプ駆動回路
２            商用電源
３            電磁ポンプ（誘導性負荷）
４            整流素子
５            リレー接点（駆動リレーのリレー接点）
６            制御部
７            ハイリミットスイッチ
８            ハイリミット監視回路（入力電圧監視回路）
９            電磁ポンプ監視回路（負荷電圧監視回路）
１０          電源ライン
１１          イグナイタ
２１，２２    フォトカプラ
【図１】
2008008578.tif 000003
【図２】
2008008578.tif 000004
【図３】
2008008578.tif 000005